(57)【要約】【課題】メモリを利用する多機能データ処理装置において、ユーザの一連の操作と連動してメモリの着脱を物理的に規制し、さらに、ユーザの一連の操作と連動してガイダンス画面を表示し、ユーザの利便性を向上する多機能データ処理装置を提供すること。【解決手段】複合機１０（データ処理装置）は、第１のデータ入力部と、メモリ装着部４（第２のデータ入力／出力部）と、第１の操作指示部１ｉと、第２の操作指示部２ｉと、第１の操作指示部１ｉ又は第２の操作指示部２ｉからの入力操作に従ってデータ処理を実行するデータ処理部と、メモリ装着部４を覆うカバー部３とを有し、第１の操作指示部１ｉは、カバー部３の上面に設けられ、カバー部３の開放状態においてのみ第２の操作指示部２ｉからの入力操作が可能である。【選択図】図２Ａ
2008167188.tif 000002
【特許請求の範囲】
【請求項１】
第１のデータ入力部と、
第２のデータ入力／出力部と、
操作案内情報を表示する案内表示部と前記第１のデータ入力部における入力データに関するデータ処理についてユーザの操作を受け付ける操作部を有する第１の操作指示部と、
前記第２のデータ入力／出力部における入出力データに関するデータ処理についての操作を促す指示をすると共にユーザの操作を受け付ける第２の操作指示部と、
前記第１の操作指示部又は前記第２の操作指示部からの入力操作に従ってデータ処理を実行するデータ処理部と、
前記第２のデータ入力／出力部を覆うカバー部とを有し、
前記第１の操作指示部は、前記カバー部の上面に設けられ、前記カバー部の開放状態においてのみ前記第２の操作指示部からの入力操作が可能であることを特徴とするデータ処理装置。
【請求項２】
前記第２のデータ入力／出力部は、記録媒体着脱部であり、前記カバー部が開放状態においてのみ、前記記録媒体着脱部に記録媒体を着脱できることを特徴とする請求項１に記載のデータ処理装置。
【請求項３】
前記カバー部は、前記第２のデータ入力／出力部及び前記第２の操作指示部を覆うことを特徴とする請求項１又は２に記載のデータ処理装置。
【請求項４】
前記カバー部の開放状態においては、前記第１のデータ入力部が動作しないことを特徴とする請求項１〜３のいずれか１項に記載のデータ処理装置。
【請求項５】
前記案内表示部は、第１のデータ入力部又は第２のデータ入力／出力部のいずれかを使用するデータ処理を選択する選択画面を表示することを特徴とする請求項１〜３のいずれか１項に記載のデータ処理装置。
【請求項６】
前記カバー部が閉鎖状態において、前記第１の操作指示部からの入力操作が行われ、前記第１のデータ入力部からデータが入力されると、前記データ処理部は、前記第１の操作指示部からの入力操作に応じたデータ処理を実行することを特徴とする請求項５に記載のデータ処理装置。
【請求項７】
前記カバー部が開放状態において、前記第２の操作指示部からの入力操作が行われ、前記カバー部が閉鎖されると、前記データ処理部は、前記第２の操作指示部からの入力操作に応じたデータ処理を実行することを特徴とする請求項５に記載のデータ処理装置。
【請求項８】
前記案内表示部が前記選択画面を表示している状態において、前記カバー部が開放された場合、前記第２のデータ入力／出力部を動作させるように選択されたものとして、前記第２のデータ入力／出力部の動作を可能とすることを特徴とする請求項５に記載のデータ処理装置。
【発明の詳細な説明】
【技術分野】
【０００１】
本発明は、可搬性の記録媒体を利用できる多機能データ処理装置に関する。
【背景技術】
【０００２】
近年、可搬性の記録媒体（以下、単にメモリと記す）を利用する機会が増えている。例えば、デジタルカメラ等で撮影した画像データをメモリに記録し、該画像データをコンビニ等の店舗に設置されたデータ処理装置を用いて印刷（プリント処理）するような場合である。
【０００３】
このように、データ処理装置を用いてメモリに記録されたデータをプリントする場合には、ユーザの操作性を向上させるために、メモリ着脱のタイミングの指示、データの選択指示、印刷指示等の操作情報（ガイダンス画面）を表示装置に順次表示する必要がある。
【０００４】
このような形態で使用されるデータ処理装置の表示装置の例として、例えば、特許文献１に記載の画像形成装置における表示装置のように、画像形成装置の傍に別途大型表示装置を設け、この大型表示装置に画像データ,ガイダンス情報を表示させて、操作性を向上させているものがある。
【０００５】
一方、メモリをデータ処理装置に装着した後、メモリ内のデータをデータ処理装置に転送している間（データアクセス中）に、ユーザがメモリを抜き取ってしまうと、記録されているデータ等が破壊される可能性がある。そこで、データアクセス中にメモリを抜き取ってもデータを保護することができるメモリカードの保護装置が提案されている（特許文献２参照）。
【特許文献１】特開２０００−１３２０１０号公報
【特許文献２】特開２０００−１１３６６３号公報
【発明の開示】
【発明が解決しようとする課題】
【０００６】
しかしながら、メモリを装着して利用できる多機能データ処理装置の場合、ユーザが利用する各種機能についてユーザの操作が誤りなく実行されるように指示すると共に誤ったメモリの着脱がないようにしなければならず、単に特許文献１に開示のような大型の表示装置にガイダンス情報を表示させるだけでは十分でない。
特に、データ処理装置でプリント処理等を実行する場合には、ユーザは様々な操作を実行しなければならず、ユーザの利便性を向上させるためには、誤りなく操作できるようにユーザが行う一連の操作と連動してガイダンス画面を表示する必要がある。
【０００７】
また、特許文献２に開示された技術を利用すれば、データアクセス中にメモリを抜き取ることによるデータの破壊を防ぐことができる。しかし、データアクセス中にメモリを抜き取ってもデータを保護することができるだけであり、ユーザの一連の操作と連動してメモリの着脱を物理的に規制するものではなかった。また、データ処理装置にかかる装置を設置するとデータ処理装置の製造価格が上昇してしまうので、単にデータの破壊を防ぐことを目的としてかかる装置をデータ処理装置に設置することはできない。
【０００８】
本発明は、かかる実情に鑑みてなされたものであり、メモリを利用する多機能データ処理装置において、ユーザの一連の操作と連動してメモリの着脱を物理的に規制し、さらに、ユーザの一連の操作と連動してガイダンス画面を表示し、ユーザの利便性を向上する多機能データ処理装置を提供することを目的とする。
【課題を解決するための手段】
【０００９】
第１の技術的手段は、第１のデータ入力部と、第２のデータ入力／出力部と、操作案内情報を表示する案内表示部と前記第１のデータ入力部における入力データに関するデータ処理についてユーザの操作を受け付ける操作部を有する第１の操作指示部と、前記第２のデータ入力／出力部における入出力データに関するデータ処理についての操作を促す指示をすると共にユーザの操作を受け付ける第２の操作指示部と、前記第１の操作指示部又は前記第２の操作指示部からの入力操作に従ってデータ処理を実行するデータ処理部と、前記第２のデータ入力／出力部を覆うカバー部とを有し、前記第１の操作指示部は、前記カバー部の上面に設けられ、前記カバー部の開放状態においてのみ前記第２の操作指示部からの入力操作が可能であることを特徴とするデータ処理装置である。
【００１０】
第２の技術的手段は、第１の技術的手段において、前記第２のデータ入力／出力部は、記録媒体着脱部であり、前記カバー部が開放状態においてのみ、前記記録媒体着脱部に記録媒体を着脱できることを特徴とするものである。
【００１１】
第３の技術的手段は、第１又は第２の技術的手段において、前記カバー部は、前記第２のデータ入力／出力部及び前記第２の操作指示部を覆うことを特徴とするものである。
【００１２】
第４の技術的手段は、第１〜第３のいずれかの技術的手段において、前記カバー部の開放状態においては、前記第１のデータ入力部が動作しないことを特徴とするものである。
【００１３】
第５の技術的手段は、第１〜第３のいずれかの技術的手段において、前記案内表示部は、第１のデータ入力部又は第２のデータ入力／出力部のいずれかを使用するデータ処理を選択する選択画面を表示することを特徴とするものである。
【００１４】
第６の技術的手段は、第５の技術的手段において、前記カバー部が閉鎖状態において、前記第１の操作指示部からの入力操作が行われ、前記第１のデータ入力部からデータが入力されると、前記データ処理部は、前記第１の操作指示部からの入力操作に応じたデータ処理を実行することを特徴とするものである。
【００１５】
第７の技術的手段は、第５の技術的手段において、前記カバー部が開放状態において、前記第２の操作指示部からの入力操作が行われ、前記カバー部が閉鎖されると、前記データ処理部は、前記第２の操作指示部からの入力操作に応じたデータ処理を実行することを特徴とするものである。
【００１６】
第８の技術的手段は、第５の技術的手段において、前記案内表示部が前記選択画面を表示している状態において、前記カバー部が開放された場合、前記第２のデータ入力／出力部を動作させるように選択されたものとして、前記第２のデータ入力／出力部の動作を可能とすることを特徴とするものである。
【発明の効果】
【００１７】
本発明により、ユーザの一連の操作と連動してメモリの着脱を物理的に規制でき、さらに、ユーザの一連の操作と連動してガイダンス画面が表示され、ユーザの利便性を向上できる。
【発明を実施するための最良の形態】
【００１８】
図１は、メモリを装着して利用できる多機能データ処理装置、例えば、メモリに記録されたデータを印刷する機能（プリント機能）、転送されたデータをメモリに記録するメモリダウンロード機能、原稿読み取り機能（スキャン機能）を用いて読み取った（スキャン）原稿データをメモリにコピーするスキャンメモリコピー機能、さらに、読み取った原稿を印刷する機能（コピー機能）、ファクシミリ機能、電子メール送受信機能等のうち少なくとも２つ以上の機能を有している複合機１０の外観を示した図である。
【００１９】
１０ａは、複合機１０の各種機能を選択する際に表示される選択画面や操作案内情報等を表示する選択画面表示部である。
１０ｂは、複合機１０のスキャン機能及びコピー機能を利用する場合に使用される自動原稿給送装置である。
１０ｃは、原稿を複合機１０にセットする際に開閉する原稿押えである。
【００２０】
１ｉは、操作案内情報を表示する案内表示部とスキャナ等のデータ入力部から入力されたデータに関するデータ処理についての操作を受け付ける操作部を有する第１の操作指示部である。なお、詳細については後述する。
【００２１】
図２Ａ（ａ）は、第１の操作指示部１ｉの拡大図である。第１の操作指示部１ｉは、カバー部３の上面に形成され案内表示部１ｄ、ユーザの指示を受け付ける操作部となる第１の操作キー１ｏを有する。前記案内表示部１ｄには本発明に係るデータ処理装置の操作案内情報等を表示する。なお、図ではカバー部３は閉じられている（閉鎖状態）。後述するように、カバー部３は、第２のデータ入力／出力部を覆うが図示の実施形態では、第２の操作指示部も覆っている。
【００２２】
図２Ａ（ｂ）は、図示しないヒンジ機構により開閉可能となるカバー部３を開いた状態（開放状態）を示した図である。
カバー部３を開くと、第２の操作キー２ｏ,表示パネル２ｐを備えた操作パネルを形成する第２の操作指示部２ｉ,第２のデータ入力／出力部を構成するメモリ装着部４が現れる。第２の操作キー２ｏは、データ処理に対する各種操作指示を入力するキー類であり、表示パネル２ｐにはそれらデータ処理の入力操作や記録媒体の着脱等のタイミング等を指示する操作情報（操作指示）、プリントする画像等のデータの選択指示等が表示される。
すなわち、第２の操作指示部２ｉの表示パネル２ｐにて第２のデータ入力／出力部（メモリ装着部４）における入出力データに関するデータ処理についての操作を促す操作情報の表示（操作指示）をすると共に、第２の操作キー２ｏにてユーザの操作を受け付ける。
【００２３】
４ａ〜４ｃは、それぞれＭＳ（Ｍｅｍｏｒｙ  Ｓｔｉｃｋ：登録商標）、ＳＤ（Ｓｅｃｕｒｅ  Ｄｉｇｉｔａｌ  Ｍｅｍｏｒｙ  Ｃａｒｄ：登録商標）、ＣＦ（Ｃｏｍｐａｃｔ  Ｆｌａｓｈ：登録商標）等のメモリを装着するための装着部である。
【００２４】
図からも明らかなように、カバー部３の開放状態においてのみ第２のデータ入力／出力部であるメモリ装着部４にメモリを装着でき、第２の操作指示部２ｉからの入力／出力操作が可能である。
【００２５】
また、このように、案内表示部１ｄの直下に第２の操作キー２ｏ,表示パネル２ｐが配設されている。そのため、ユーザがカバー部３を開ければ、視線を大きく移動させることなく、第２の操作キー２ｏ,表示パネル２ｐを見ることができるので、ユーザの視認性及び操作性が向上する。
【００２６】
なお、図示のように、カバー部３は、第２のデータ入力／出力部を構成するメモリ装着部４、及び、第２の操作指示部２ｉを覆うように配設されているが、メモリ装着部４のみを覆うように配設してもよい。
【００２７】
ここで、複合機１０の各種機能についてブロック図を用いて説明する。
図３は、複合機１０のブロック構成図である。
選択画面表示部１０ａは、液晶パネルから構成され、この液晶パネルに複合機１０の各種機能を選択する際に表示される選択画面や操作案内情報等を表示する。
第１の操作指示部１ｉは、液晶パネルから構成される案内表示部１ｄと十字キー等の第１の操作キー１ｏで構成される操作部からなる。なお、操作部は、案内表示部１ｄによりタッチパネル方式で構成してもよい。
【００２８】
第２の操作指示部１ｉは、液晶パネルから構成される表示パネル２ｐ,十字キー等から構成される第２の操作キー２ｏからなる。なお、案内表示部１ｄと同様に、第２の操作キー２ｏは、表示パネル２ｐによりタッチパネル方式で構成してもよい。
【００２９】
メモリ装着部４は、第２のデータ入力／出力部であり、メモリ２０が装着され、装着されたメモリ２０から複合機１０のデータ処理部１１にデータを入力、及び、複合機１０のデータ処理部１１からのデータをメモリ２０に出力する。また、メモリ２０がユーザにより着脱されたことを制御部１５に通知するメモリ着脱検出部４ｄを備え、メモリ２０が装着されると案内表示部１ｄ等にメモリ２０が装着されたことが表示される。
なお、前述したように、ＭＳ４ａ（ＳＤ４ｂ，ＣＦ４ｃ）は、ＭＳ（ＳＤ，ＣＦ）等のメモリ装着部である。
【００３０】
カバー開閉検出部５は、カバー部３が開閉されたことを検出し、検出結果を制御部１５に通知する。
第１のデータ入力部６は、スキャナ等から構成され、読み取ったデータを複合機１０のデータ処理部１１に入力する。
【００３１】
データ処理部１１は、第１の操作指示部１ｉ,第２の操作指示部２ｉからの入力操作に従って、メモリ２０に記録されたデータの印刷処理を実行するプリント部１１ａ、スキャナ（第１のデータ入力部６）で読み取った原稿を電子データに変換する処理を実行するスキャン部１１ｂ、インターネット等を介して複合機１０に転送されたデータをメモリ２０にダウンロードする処理を実行するメモリダウンロード部１１ｃ、スキャン部１１ｂにて変換された電子データ（スキャンデータ）をメモリ２０に記録する処理を実行するスキャンメモリコピー部１１ｄ、スキャン部１１ｂにて変換された電子データを印刷するコピー部１１ｅ、いわゆるファクシミリ処理を実行するファックス部１１ｆ、電子メールの送受信処理を実行する電子メール送受信部１１ｇから構成される。
【００３２】
ＨＤＤ１２は、複合機１０に転送されたデータ及び受信した電子メールデータ等を記録する、大容量記録装置である。
【００３３】
ＲＡＭ１３は、各種制御データ等を一時的に格納する。
ＲＯＭ１４は、後述するガイダンス情報（操作案内情報）等のＯＳＤデータを格納する。
【００３４】
制御部１５は、ＲＯＭ１４に記録されたガイダンス情報等のＯＳＤデータを案内表示部１ｄ,表示パネル２ｐ等に表示する処理、及び、前述した機能ブロックを制御する処理を実行する。
なお、図中の太線Ｂは、データバスである。
【００３５】
次に、ユーザが複合機１０を操作する様子を図２Ａ〜図２Ｄに示した複合機１０に備わっている選択画面表示部１０ａ、第１の操作指示部１ｉ、及び、第２の操作指示部２ｉの状況を示す図、並びに、複合機１０の各種機能を使用する際に、実行される処理を図４Ａ〜図４Ｄに示したフロー図を用いて説明する。
また、上記処理を実行する際に、選択画面表示部１０ａ、第１の操作指示部１ｉの案内表示部１ｄ、及び、第２の操作指示部２ｉの表示パネル２ｐに表示されるガイダンス画面について図５Ａ〜図５Ｊを参照しながら説明する。
【００３６】
図４Ａは、ユーザが複合機の各種機能を選択する処理を説明するためのフロー図である。
ユーザが複合機１０に近づくと、複合機の機能を選択（第１のデータ入力部を利用するコピー、第２のデータ入力／出力部を利用するプリント処理,メモリダウンロード,スキャンメモリコピーのいずれかを動作するように選択）するようにユーザに要求するガイダンス画面（図５Ａ（ａ））が選択画面表示部１０ａに表示される（ステップＳ１）。なお、選択画面表示部１０ａに表示するガイダンス画面は、カバー部３の上面に設けられた第１の操作指示部１ｉの案内表示部１ｄに表示するようにしてもよい。
ユーザがガイダンス画面（図５Ａ（ａ））からデジタル画像プリント、メモリダウンロード、スキャンメモリコピー、コピーのいずれかを選択すると制御部１５は、選択に従った処理を実行する。
【００３７】
（プリント処理）
ここで、第２のデータ入力／出力部を利用してメモリ２０に記録されている画像データを複合機１０にてプリントする場合に表示されるガイダンス画面及びユーザの操作の例を図４Ｂのフロー図を用いて説明する。
選択画面表示部１０ａのガイダンス画面（図５Ａ（ａ））からデジタル画像プリントを選択すると（図４ＡのステップＳ２：プリント処理を選択）、制御部１５は、選択画面表示部１０ａに、カバー部３を開いて、メモリ２０を複合機１０のメモリ装着部４に装着するように指示するガイダンス画面（図５Ａ（ｂ））を表示する（ステップＳ２０１）。なお、前述したように選択画面表示部１０ａに表示されるガイダンス画面を第１の操作指示部１ｉの案内表示部１ｄに表示する場合には、これらの一連の表示は、案内表示部１ｄに表示される。
【００３８】
次に、図２Ａ（ｂ）に示すように、ユーザがカバー部３を開けると（ステップＳ２０２）、カバー開閉検出部５は、カバー部３が開かれたことを検出し、制御部１５は、第２の操作指示部２ｉの表示パネル２ｐの表示動作をオンにして、メモリ２０をメモリ装着部４に装着するように指示するガイダンス画面（図５Ｂ（ｃ））を表示パネル２ｐに表示する（ステップＳ２０３）。
このように、カバー部３を開けることで、メモリ装着部４にメモリ２０の装着が可能になる。
【００３９】
また、制御部１５は、カバー部３の開放状態（カバー部３を開く）において、第１のデータ入力部６の入力動作を禁止、すなわちデータ入力を受け付けないようにする。このようにすることで、ユーザの誤操作を防止することができる。
なお、カバー部３を開く操作は、処理の選択と連動させて自動化してもよい。
【００４０】
次に、図２Ｂ（ｃ）に示すように、ユーザがメモリ２０をメモリ装着部４に装着すると（ステップＳ２０４）、メモリ着脱検出部４ｄがメモリ２０の装着を検出し、制御部１５は、メモリ２０（ＳＤ）の装着が確認され、メモリ２０に記録されているデータの読み出し等の所定の処理を実行している旨のガイダンス画面（図５Ｂ（ｄ））を表示パネル２ｐに表示する（ステップＳ２０５）。なお、前述したように、この時、メモリ装着部４は、メモリ２０からデータ処理部１１のプリント部１１ａにデータを入力している。
【００４１】
その後、所定の処理が終了すると、制御部１５は、メモリ２０に記録されている画像データのうちプリントする画像データを選択するように指示するガイダンス画面（図５Ｃ（ｅ））を表示パネル２ｐに表示する（ステップＳ２０６）。
【００４２】
次に、図２Ｂ（ｄ）に示すように、ユーザが選択画面を利用してプリントする画像データを選択すると、さらに、制御部１５は、プリントする用紙サイズを選択するように指示するガイダンス画面（図５Ｃ（ｆ））を表示パネル２ｐに表示する。ユーザは、この選択画面を見ながら用紙サイズを選択する（ステップＳ２０７）。
なお、表示パネル２ｐに表示される操作指示に従って行う入力操作は、第２の操作キー２ｏのキー入力やタッチパネル方式等任意の方式で行ってもよい。
【００４３】
ユーザによる用紙サイズの選択が終了すると、制御部１５は、カバー部３を閉じるように指示するガイダンス画面（図５Ｄ（ｇ））と所定の料金をコインベンダ（図示しない）に投入するように指示するガイダンス画面（図５Ｄ（ｈ））等を表示パネル２ｐに表示する（ステップＳ２０８）。
【００４４】
次に、図２Ｃ（ｅ）に示すように、ユーザがカバー部３を閉じると（ステップＳ２０９）、カバー開閉検出部５は、カバー部３が閉じられたことを検出し、プリント部１１ａは、選択された画像データのプリント処理を開始し（ステップＳ２１０）、制御部１５は、現在、プリント中である旨のガイダンス画面（図５Ｅ（ｉ））を案内表示部１ｄに表示する。
【００４５】
すなわち、カバー部３が開放状態において、メモリ装着部４にメモリ２０が装着され、第２の操作指示部２ｉからの入力操作が行われ、カバー部３が閉じられると（閉鎖）、データ処理部１１のプリント部１１ａが、前記入力操作に応じたプリント処理（データ処理）を自動的に実行する。
そのため、ユーザがプリント処理を選択すれば、わざわざプリント処理の実行キーを押さなくてもプリント処理が実行されるので、ユーザの利便性が向上する。
【００４６】
また、メモリ２０に記録されている画像データを複合機１０に転送している間は、メモリ装着部４はカバー部３に覆われているので、装着したメモリ２０を抜き取ることや、新たにメモリを装着することは、物理的に規制される。
これにより、画像データ転送中に、メモリ２０を抜くことにより、メモリ２０及びメモリ２０に記録されているデータが破壊されることがなくなる。
【００４７】
なお、カバー部３は、所定の操作の後に自動的に閉じるようにしてもよい。
【００４８】
プリント処理が完了すると（ステップＳ２１１：ＹＥＳ）、制御部１５は、プリント処理が完了したのでカバー部３を開いて装着したメモリ２０を抜くように指示するガイダンス画面（図５Ｅ（ｊ））を案内表示部１ｄに表示する（ステップＳ２１２）。
【００４９】
次に、図２Ｃ（ｆ）に示すように、ユーザがカバー部３を開くと（ステップＳ２１３）、カバー開閉検出部５は、カバー部３が開かれたことを検出し、制御部１５は、装着したメモリを示し、メモリを抜くように指示するガイダンス画面（図５Ｆ（ｋ））を表示パネル２ｐに表示する（ステップＳ２１４）。
【００５０】
このように、カバー部３の開閉に連動して複合機１０に装着したメモリ２０の着脱を指示するガイダンス画面を表示するので、ユーザは、メモリ２０をいつ着脱すればよいか容易に理解でき、操作性が向上する。
また、ユーザがメモリを抜き忘れることがなくなる。
【００５１】
次に、図２Ｄ（ｇ）に示すように、ユーザがメモリ２０をメモリ装着部４から抜くと（ステップＳ２１５）、メモリ装着部４のメモリ着脱検出部４ｄがメモリ２０の抜き取りを検出し、制御部１５は、ユーザにカバー部３を閉じるように指示するガイダンス画面（図５Ｆ（ｌ））を表示パネル２ｐに表示する（ステップＳ２１６）。
【００５２】
次に、図２Ｄ（ｈ）に示すように、ユーザがカバー部３を閉じると（ステップＳ２１７）、カバー開閉検出部５は、カバー部３が閉じられたことを検出し、制御部１５は、プリント処理の全課程が終わった旨のガイダンス画面（図５Ｇ（ｍ），図５Ｇ（ｎ））を案内表示部１ｄに表示する（図４ＡのステップＳ６）。
【００５３】
このように、ユーザは一連の操作に伴って表示されるガイダンス画面に従って、順次操作をすればよいので、ユーザの利便性が向上する。
【００５４】
また、プリント処理では、画像データをプリントする場合について説明したが、画像データだけではなく、ワープロ，表計算等の各種アプリケーションによって作成されたデータの印刷もできる。
【００５５】
（メモリダウンロード）
インターネットに接続された複合機１０をファイルサーバとして機能させ、ユーザが該複合機１０にデータを転送し、転送後、パスワードの入力等によるユーザ認証が成功した場合には、この転送データ（ＨＤＤ１２に記録されている）を複合機１０に装着されたメモリ２０にダウンロードするメモリダウンロードについて説明する。
【００５６】
選択画面表示部１０ａのガイダンス画面（図５Ａ（ａ））からメモリダウンロードを選択すると（図４ＡのステップＳ３：メモリダウンロードを選択）、制御部１５は、第２の操作指示部２ｉの表示パネル２ｐにユーザＩＤとパスワードの入力画面（図５Ｈ（ｏ））を表示し、ユーザＩＤとパスワードを入力するように指示する。ユーザがパスワードを入力し、パスワード認証が成功すると、メモリダウンロードするデータを選択するように指示するガイダンス画面（図５Ｈ（ｐ））を表示パネル２ｐに表示する。ユーザは、この選択画面を見ながらメモリダウンロードするデータを選択する。その後、メモリダウンロード部１１ｃは、選択したデータをメモリ２０に出力する。
【００５７】
（スキャンメモリコピー）
第１のデータ入力部６を利用して読み取った原稿を画像データ等として第２のデータ入力／出力部（メモリ装着部４）に装着したメモリ２０にコピーするスキャンメモリコピーを実行する場合に表示されるガイダンス画面及びユーザの操作の例を図４Ｃのフロー図を用いて説明する。
【００５８】
選択画面表示部１０ａ又は案内表示部１ｄに表示されたガイダンス画面（図５Ａ（ａ））からスキャンメモリコピーを選択すると（図４ＡのステップＳ４：スキャンメモリコピーを選択）、制御部１５は、スキャンする原稿を自動原稿給送装置１０ｂにセットし、スキャン開始キーを押すように指示するガイダンス画面（図５Ｉ（ｑ））を選択画面表示部１０ａ又は案内表示部１ｄに表示する（ステップＳ４０１）。
【００５９】
ユーザが原稿を自動原稿給送装置１０ｂにセットし、スキャン開始キーを押すと（ステップＳ４０２）、スキャン部１１ｂは、スキャナ（第１のデータ入力部６）により読み取った原稿データを順次、ＨＤＤ１２又はＲＯＭ１４に一時的に記録する。スキャン処理が完了すると（ステップＳ４０３：ＹＥＳ）、ユーザはカバー部３を開き、メモリ２０を複合機１０に装着し、カバー部３を閉じる（ステップＳ４０４〜ステップＳ４０９：図４ＢのステップＳ２０１〜ステップＳ２０４,ステップＳ２０８,ステップＳ２０９に相当）。なお、開閉可能な原稿押え１０ｃを開き、原稿をセットして、セットした原稿をスキャンするようにしてもよい。
【００６０】
ユーザがカバー部３を閉じると（ステップＳ４０９）、スキャンメモリコピー部１１ｄは、メモリ装着部４を介してＨＤＤ１２又はＲＯＭ１４に一時的に記録したデータをメモリ２０にコピーする処理（メモリ２０にデータを出力）を開始し（ステップＳ４１０）、メモリコピー処理が完了すると（ステップＳ４１１：ＹＥＳ）、前述したようにガイダンス画面に従い、ユーザは装着したメモリ２０を抜き取り、カバー部３を閉じる（ステップＳ４１２〜ステップＳ４１７：図４ＢのステップＳ２１２〜ステップＳ２１７に相当）。
【００６１】
なお、原稿を読み取るスキャン操作の前にメモリ２０を装着し、ユーザの一連の操作を経て、カバー部３を閉じた後にスキャン操作をするようにしてもよい。
【００６２】
（コピー）
第１のデータ入力部６を利用してコピーする場合に表示されるガイダンス画面及びユーザの操作の例を図４Ｄのフロー図を用いて説明する。
ユーザが、選択画面表示部１０ａ又は案内表示部１ｄに表示されたガイダンス画面（図５Ａ（ａ））からコピーを選択すると（図４ＡのステップＳ５：コピーを選択）、制御部１５は、案内表示部１ｄを動作させて（ステップＳ５０１）、コピー条件（コピー枚数,拡大縮小率等）を設定するように指示するコピー開始用のガイダンス画面（図５Ｊ（ｒ））を案内表示部１ｄに表示する（ステップＳ５０２）。
【００６３】
ユーザがガイダンス画面に従い、第１の操作指示部１ｉの第１の操作キー１ｏのうちコピー条件設定キー（コピー枚数の設定等）を操作して、コピー条件を設定すると（ステップＳ５０３）、スキャナ（第１のデータ入力部６）の動作が可能となる。
【００６４】
さらに、ユーザは、原稿を自動原稿給送装置１０ｂにセットし（ステップＳ５０４）、第１の操作キー１ｏ（スタートキー）を押す（ステップＳ５０５）。
【００６５】
すると、スキャナ（第１のデータ入力部６）が動作し、スキャナを介して原稿データがデータ処理部１０のコピー部１１ｅに入力され、コピー部１１ｅは、スキャナにて読み取った原稿データをコピーする（ステップＳ５０６）。同時に、制御部１５は、コピー中であることを示すガイダンス画面（図５Ｊ（ｓ））を表示する。
【００６６】
コピーが完了すると（ステップＳ５０７：ＹＥＳ）、制御部１５は、再度コピー開始用のガイダンス画面（図５Ｊ（ｒ））を案内表示部１ｄに表示する。
【００６７】
このように、カバー部３が閉鎖状態においてのみ、第１の操作指示部１ｉ（第１の操作キー１ｏ）からの入力操作が行われ、スキャナ（第１のデータ入力部６）からデータが入力されると、データ処理部１０のコピー部１１ｅは、入力操作（設定したコピー条件）に応じた処理を実行する。
そのため、複合機１０の一般的な機能であるコピー機能を使用するユーザは誤りなく操作でき、利便性が向上する。
【００６８】
また、複合機の機能を選択（第１のデータ入力部又は第２のデータ入力／出力部のいずれかを動作するように選択）するようにユーザに要求するガイダンス画面（図５Ａ（ａ））が案内表示部１ｄに表示されるときに（図４ＡのステップＳ１）、ユーザがカバー部３を開いた場合、自動的に第２のデータ入力／出力部（メモリ装着部４）を利用するデータ処理を実行するように選択されたものして、メモリ装着部４の動作を可能としてもよい。
【００６９】
すなわち、カバー部３が開かれた場合、表示パネル２ｐに第２のデータ入力／出力部を利用するデータ処理、すなわち、プリント処理，メモリダウンロード，スキャンメモリコピーの選択画面を表示するようにする。
この場合、プリント処理,メモリダウンロード,スキャンメモリコピーのうち使用頻度が一番高いものを自動的に選択するようにしてもよい。
このようにすることで、よりユーザの利便性及び操作性が向上する。
【００７０】
同様に、ガイダンス画面（図５Ａ（ａ））を表示しているときに、第１の操作指示部１ｉの操作キー１ｏ（コピー条件設定キー等）が操作された場合には、コピー機能が選択されたものとして、以後の操作案内を表示してもよい。
【００７１】
なお、本実施例では、カバー部３の開閉機構として、ヒンジ機構による開閉を例示したが、スライド式のカバー部にしてもよく、さまざま開閉機構を採用できる。
また、メモリ２０をメモリ装着部４に装着したが、非接触型メモリに対しても本発明を適用できる。
なお、繰り返し述べるように、選択画面表示部１０ａをカバー部３の上面に設けられた案内表示部１ｄと一体化してもよい。
【図面の簡単な説明】
【００７２】
【図１】複合機の外観を示した図である。
【図２Ａ】第１の操作指示部の拡大図である。
【図２Ｂ】ユーザが第２の操作指示部等を操作している様子を示す第１の図である。
【図２Ｃ】ユーザが第１の操作指示部等を操作している様子を示す第２の図である。
【図２Ｄ】ユーザが第２の操作指示部等を操作している様子を示す第３の図である。
【図３】複合機１０のブロック図である。
【図４Ａ】ユーザが複合機の各種機能を選択する処理を説明するためのフロー図である。
【図４Ｂ】プリント処理時に表示されるガイダンス画面及びユーザの操作を説明するためのフロー図である。
【図４Ｃ】スキャンメモリコピー時に表示されるガイダンス画面及びユーザの操作を説明するためのフロー図である。
【図４Ｄ】コピー時に表示されるガイダンス画面及びユーザの操作を説明するためのフロー図である。
【図５Ａ】第１のガイダンス画面である。
【図５Ｂ】第２のガイダンス画面である。
【図５Ｃ】第３のガイダンス画面である。
【図５Ｄ】第４のガイダンス画面である。
【図５Ｅ】第５のガイダンス画面である。
【図５Ｆ】第６のガイダンス画面である。
【図５Ｇ】第７のガイダンス画面である。
【図５Ｈ】第８のガイダンス画面である。
【図５Ｉ】第９のガイダンス画面である。
【図５Ｊ】第１０のガイダンス画面である。
【符号の説明】
【００７３】
１ｉ…第１の操作指示部、１ｄ…案内表示部、１ｏ…第１の操作キー、２ｉ…第２の操作指示部、２ｏ…第２の操作キー、２ｐ…表示パネル、３…カバー部、４…メモリ装着部（第２のデータ入力／出力部）、５…カバー開閉検出部、６…第１のデータ入力部、１０…複合機、１０ａ…選択画面表示部、１０ｂ…自動原稿給送装置、１０ｃ…原稿押え、１１…データ処理部、１１ａ…プリント部、１１ｂ…スキャン部、１１ｃ…メモリダウンロード部、１１ｄ…スキャンメモリコピー部、１１ｅ…コピー部、１１ｆ…ファックス部、１１ｇ…電子メール送受信部、１２…ＨＤＤ、１３…ＲＡＭ、１４…ＲＯＭ、１５…制御部、２０…メモリ。
【図１】
2008167188.tif 000003
【図２Ａ】
2008167188.tif 000004
【図２Ｂ】
2008167188.tif 000005
【図２Ｃ】
2008167188.tif 000006
【図２Ｄ】
2008167188.tif 000007
【図３】
2008167188.tif 000008
【図４Ａ】
2008167188.tif 000009
【図４Ｂ】
2008167188.tif 000010
【図４Ｃ】
2008167188.tif 000011
【図４Ｄ】
2008167188.tif 000012
【図５Ａ】
2008167188.tif 000013
【図５Ｂ】
2008167188.tif 000014
【図５Ｃ】
2008167188.tif 000015
【図５Ｄ】
2008167188.tif 000016
【図５Ｅ】
2008167188.tif 000017
【図５Ｆ】
2008167188.tif 000018
【図５Ｇ】
2008167188.tif 000019
【図５Ｈ】
2008167188.tif 000020
【図５Ｉ】
2008167188.tif 000021
【図５Ｊ】
2008167188.tif 000022